【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
締結具容器であって、
相互に一体的な非金属支持材と締結具保持器とを備え、
該支持材は、支持構造物に接して配置されるように構成される支持表面を有し、該支持材は、雄締結具を受容するための開口部を画定する壁を有し、該支持材は、該開口部が該支持表面から締結具支持表面まで延在するように構成される、締結具支持表面を含み、該締結具保持器は、該支持表面から離れる方向に、かつ該締結具支持表面から離れる方向に延在し、該締結具が該締結具保持器の中に配置され、該締結具が該締結具保持器に対して枢動されるときに、締結具基部上の各表面によって接触されるように構成される、少なくとも３つのトルク抵抗要素を含む、締結具容器。
【請求項２】
前記トルク抵抗要素のうちの少なくとも１つは、ブリッジ部分を含む、請求項１に記載の締結具容器。
【請求項３】
前記締結具保持器は、前記締結具要素の一部を受容するための開口部を画定する壁を含む、請求項１に記載の締結具容器。
【請求項４】
前記開口部は、締結具要素の開口部であり、前記締結具容器は、前記支持材を通る締結具開口部をさらに具組、該締結具要素の開口部は、該締結具要素の開口部と実質的に同軸である、請求項３に記載の締結具容器。
【請求項５】
前記締結具保持器は、前記締結具支持表面から離間した締結具保持表面と、締結具の一部分を受容するための開口部を画定する、該締結具保持表面内の壁とを有し、該壁は、１８０度以上かつ３６０度未満の角度を通って延在する開口部を画定する、請求項１に記載の締結具容器。
【請求項６】
前記支持材は、長手方向に延在し、第１および第２の長手方向側面を有し、前記締結具保持表面は、該第１の長手方向側面に対面する締結具挿入開口部を含む、請求項５に記載の締結具容器。
【請求項７】
前記締結具挿入開口部は、該締結具挿入開口部を通って、前記締結具保持器内への締結具要素の受容および、該締結具保持器からの締結具要素の除去を可能にするように構成される、請求項６に記載の締結具容器。
【請求項８】
前記締結具容器は、前記締結具支持表面と前記締結具保持表面との間に空洞を画定する壁を含み、該壁は、支持表面を含み、該保持容器内に一部分を有する締結具をさらに含み、それにより、該締結具容器に対する該締結具の旋回は、該締結具を少なくとも３つの異なる支持表面と接触するように構成される、請求項１に記載の締結具容器。
【請求項９】
締結具支持表面を有する締結具要素をさらに含み、該締結具要素は、該締結具支持表面上で前記締結具保持器内に支持され、該締結具支持表面は平坦ではない、請求項１に記載の締結具容器。
【請求項１０】
前記平坦でない締結具支持表面は、セレーションを含む、請求項９に記載の締結具容器。
【請求項１１】
支持構造物に対して一体的な非金属支持材と締結具保持器とを配置することであって、該非金属支持材は、締結具支持表面を有し、該締結具保持器は、該非金属支持材荷担面から離れる方向に、かつ該締結具支持表面から離れる方向に延在する、少なくとも３つのトルク抵抗要素と、該締結具保持器内の第１の締結具要素とを含み、該締結具が該締結具保持器に対して枢動するときに、該締結具保持器内の該トルク抵抗要素のそれぞれと接触するための少なくとも３つの表面を有する、ことと、
結合および構造的固定のうちの少なくとも１つによって、該支持構造物に該非金属支持材および締結具保持器を固定することと、
第２の締結具要素を該第１の締結具要素と係合することと
を含む、締結具を固定する方法。
【手続補正２】
【補正対象書類名】明細書
【補正対象項目名】００２２
【補正方法】変更
【補正の内容】
【００２２】
これらおよび他の実施例を、図面と併せて以下でさらに十分に説明し、その簡単な説明が以下である。
例えば、本発明は以下の項目を提供する。
（項目１）
締結具の受容具であって、
相互に一体的な非金属支持材と締結具保持器とを備え、
該非金属支持材は、該締結具の受容具が構造支持材に対して配置されるときに、該構造支持材によって支持されるための該支持材の第１側面上の支持表面を含み、該支持材表面は実質的に２次元に延在し、該非金属支持材はさらに、該構造支持表面に該締結具の受容具を固定するための少なくとも１つの固定部分を含み、該非金属支持材はさらに、該支持表面の実質的に反対側の該支持材の側面上にあり、かつ、締結具の対面部分を支持するように構成される締結具支持表面を含み、
該締結具保持器は、該支持材の該締結具支持表面上に支持されるための対面部分を有する、締結具要素を受容および支持するように構成され、該締結具保持器は、該支持表面の実質的に反対側の該支持材の側面上に配置され、該締結具保持器は、締結具の枢動移動を制限するための少なくとも２つの側面を有し、該締結具保持器は、該非金属支持材の該締結具支持表面から離間した第２の締結具支持材を有し、該少なくとも２つの側面のうちの少なくとも２つの間に延在し、かつ、接触する壁を含む、受容具。
（項目２）
上記非金属支持材および締結具保持器は、成型プラスチックである、項目１に記載の締結具の受容具。
（項目３）
上記非金属支持材および締結具保持器は、ポリアミドイミドである、項目２に記載の締結具の受容具。
（項目４）
上記非金属支持材および締結具保持器は、工学的熱可塑性、熱硬化性、または複合ポリマーのうちの少なくとも１つから形成される、項目２に記載の締結具の受容具。
（項目５）
上記非金属支持材の上記第１側面上の上記支持表面は、実質的に平面である、項目１に記載の締結具の受容具。
（項目６）
上記壁は、ブリッジ部分を含む、項目１に記載の締結具の受容具。
（項目７）
上記少なくとも１つの固定部分は、上記締結具保持器の第１側面上にあり、さらに第２の固定部分を含み、上記第２の固定部分は、該少なくとも１つの固定部分の反対側の該締結具保持器の側面上に配置される、項目６に記載の締結具の受容具。
（項目８）
上記締結具保持器は、上記少なくとも１つの固定部分および上記第２の固定部分に向かう以外の方向を向く開口部を画定する壁を含む、項目７に記載の締結具の受容具。
（項目９）
上記第２の固定部分は、上記少なくとも１つの固定部分の反対側以外の上記締結具保持器の側面上に配置される、項目６に記載の締結具の受容具。
（項目１０）
上記締結具支持表面は、上記支持材上の実質的な中心にある、項目１に記載の締結具の受容具。
（項目１１）
上記締結具保持器は、上記締結具要素用の開口部を画定する壁を含む、項目１に記載の締結具の受容具。
（項目１２）
上記開口部は、上記締結具要素を挿入および除去するための側面開口部である、項目１１に記載の締結具の受容具。
（項目１３）
上記開口部は、締結具要素開口部であり、上記締結具の受容具はさらに、上記支持材を通る締結具開口部を含み、該締結具要素開口部は、該締結具要素開口部と実質的に同軸上にある、項目１１に記載の締結具の受容具。
（項目１４）
上記支持表面は、実質的に円形である、項目１に記載の締結具の受容具。
（項目１５）
上記支持表面は、実質的に細長い、項目１に記載の締結具の受容具。
（項目１６）
上記少なくとも１つの固定部分は、小穴を含む、項目１に記載の締結具の受容具。
（項目１７）
基部と、締結具筐体とを有する、締結具をさらに含み、該基部は、上記締結具支持表面によって支持され、該締結具は、少なくとも部分的に該締結具保持器内に配置される、項目１に記載の締結具の受容具。
（項目１８）
上記締結具は、上記締結具支持表面の反対側の上記締結具保持器の開口部を通って延在する、項目１７に記載の締結具の受容具。
（項目１９）
上記締結具基部は、複数の係合要素を含み、上記締結具保持器は、複数の係合表面を含み、上記締結具の枢動移動は、上記締結具係合要素を該締結具保持器の該係合表面と係合させる、項目１７に記載の締結具の受容具。
（項目２０）
上記締結具基部は、実質的にＨ形の構成を有する、項目１９に記載の締結具の受容具。
（項目２１）
上記締結具は、該締結具の受容具の中で成形される、項目１７に記載の締結具の受容具。
（項目２２）
上記締結具の受容具は、ナットプレートであり、該締結具は、ナットである、項目１７に記載の締結具の受容具。
（項目２３）
上記少なくとも１つの固定部分は、締結具を受容するための開口部を画定する壁を含む、項目１に記載の締結具の受容具。
（項目２４）
締結具の受容具であって、
該締結具の受容具が支持材に対して配置されるときに、支持表面によって支持されるための支持材の第１側面上の支持表面と、該支持表面に該締結具の受容具を固定するための少なくとも１つの固定部分とを有する、支持材と、
該支持表面を有する側面以外の該支持材の側面上の締結具保持器であって、該締結保持器は、締結具支持表面と、該締結具支持表面から離間した締結具保持表面と、締結具の一部分を受容するための開口部を画定する、該締結具保持表面内の壁とを有し、該壁は、１８０度以上かつ３６０度未満の角度を通って延在する上記開口部を画定する、締結具保持器と
を備える、受容具。
（項目２５）
上記締結具保持表面は、上記締結具支持表面の実質的に反対側である、項目２４に記載の締結具の受容具。
（項目２６）
上記開口部を画定する上記壁は、約２５５度の角度を通って延在する、項目２４に記載の締結具の受容具。
（項目２７）
上記支持材は、縦方向に延在し、第１および第２の縦側面を有し、上記締結具保持表面は、上記第１の縦側面に対面する締結具挿入開口部を含む、項目２４に記載の締結具の受容具。
（項目２８）
上記締結具保持器は、上記締結具支持表面と上記締結具保持表面との間の空洞を画定する壁を含み、該壁は荷担面を含む、項目２４に記載の締結具の受容具。
（項目２９）
上記締結具保持器内に一部分を有する締結具であって、該締結具保持器に対する該締結具の枢動が、該締結具を少なくとも３つの異なる荷担面と接触させるように構成される、締結具をさらに含む、項目２８に記載の締結具の受容具。
（項目３０）
上記締結具支持表面と上記締結具保持表面との間に延在し、荷担面を有する、支柱をさらに含む、項目２８に記載の締結具の受容具。
（項目３１）
上記支柱の各側面上の各開口部を画定する、第１および第２の壁をさらに含む、項目３０に記載の締結具の受容具。
（項目３２）
上記締結具は、上記保持器の各開口部の中へ延在する複数の先端を含む、項目３１に記載の締結具の受容具。
（項目３３）
上記締結具は、上記締結具支持表面によって支持される実質的に平面の締結具基部と、該締結具基部から上記開口部を通って延在する、締結具本体とを含む、項目２８に記載の締結具の受容具。
（項目３４）
上記支持材は、第１および第２の載置部分を含む、項目２４に記載の締結具の受容具。
（項目３５）
上記第１および第２の載置部分は、上記開口部の実質的に対向する側面上にある、項目３４に記載の締結具の受容具。
（項目３６）
上記第１および第２の載置部分は、上記開口部の実質的に対向する側面上以外に配置される、項目３４に記載の締結具の受容具。
（項目３７）
上記第１の載置部分は、上記支持材によって画定される平面から外へ延在する、項目３４に記載の締結具の受容具。
（項目３８）
上記支持表面は、実質的に円形である、項目３４に記載の締結具の受容具。
（項目３９）
各締結具要素を受容するための複数の受容具をさらに含む、項目２４に記載の締結具の受容具。
（項目４０）
締結具容器であって、
相互に一体的な非金属支持材と締結具保持器とを備え、
該支持材は、支持構造物に接して配置されるように構成される支持表面を有し、該支持材は、雄締結具を受容するための開口部を画定する壁を有し、該支持材は、該開口部が該支持表面から締結具支持表面まで延在するように構成される、締結具支持表面を含み、該締結具保持器は、該支持表面から離れる方向に、かつ該締結具支持表面から離れる方向に延在し、該締結具が該締結具保持器の中に配置され、該締結具が該締結具保持器に対して枢動されるときに、締結具基部上の各表面によって接触されるように構成される、少なくとも３つのトルク抵抗要素を含む、締結具容器。
（項目４１）
上記少なくとも３つの要素は、第１および第２の側壁と、該第１と第２の側壁との間に配置される支柱とを含む、項目４０に記載の締結具容器。
（項目４２）
上記支柱と、上記第１および第２側面の壁とは、各開口部の各側面を画定し、上記締結具容器はさらに、上記締結具保持器の中に配置される締結具要素を含み、該締結具要素は、該開口部のそれぞれの中に延在するタブを含む、項目４１に記載の締結具容器。
（項目４３）
上記締結具要素は、２組のタブを有する締結具基部を含む、項目４２に記載の締結具容器。
（項目４４）
上記締結具要素は、可撤性である、項目４２に記載の締結具容器。
（項目４５）
上記締結具保持器は、開口部を画定する壁を含み、上記締結具要素は、上記開口部を通って延在する締結具本体を含む、項目４２に記載の締結具容器。
（項目４６）
支持構造物に対して配置されるように構成される支持表面を有する、容器と、該支持表面の反対側の該容器の側面上の締結具保持器とを備える、締結具容器であって、該容器は、縦方向に延在し、該容器の前部上の第１の縦側面と該容器の裏の第２の縦側面とを含み、該締結具保持器は前開口部を画定する壁を含み、該前開口部はその中へ締結具要素を受容し、該前開口部を通る該締結具保持器からの締結具要素の除去を可能にするように構成される、容器。
（項目４７）
締結具要素は、上記前開口部のみを通して上記保持器に挿入することができる、項目４６に記載の容器。
（項目４８）
上記容器は、第１の載置要素を有する第１端と、第２の載置要素を有する第２端とを含み、上記前開口部は該第１と第２端との間にある、項目４７に記載の容器。
（項目４９）
上記前開口部は、入口の幅を画定する離間した側面を有する、入口の壁を含み、上記保持器はさらに、締結具要素の本体を受容するための直径を有する開口部を含み、該入口の幅は、該直径よりも小さい、項目４６に記載の容器。
（項目５０）
相互に一体的な非金属支持材と締結具空洞を画定する壁とを備える、締結具と締結具プレートとの組み合わせであって、該支持材は、構造物に対して配置されるように構成され、該支持材を通る開口部を画定し、該締結具空洞の内部および該空洞に埋め込まれる締結具要素と連通する壁を含む、支持表面を含み、それにより、該締結具要素は、該空洞の壁画定部分を少なくとも部分的に破壊せずに除去することができず、該締結具要素の少なくとも一部は、該締結具空洞の中で相補的な壁に係合する、非弓状表面を有する、組み合わせ。
（項目５１）
上記非金属支持材、および上記締結具空洞を画定する壁は、成型プラスチックである、項目５０に記載の組み合わせ。
（項目５２）
上記締結具要素は、鋸歯状縁を含む、項目５０に記載の組み合わせ。
（項目５３）
上記締結具要素は、半径方向に延在する第１の壁と、軸方向に延在する第２の壁とを含み、該第１および第２の壁は、鋸歯状縁を含む、項目５０に記載の組み合わせ。
（項目５４）
上記締結具は、閉鎖端を含む、項目５０に記載の組み合わせ。
（項目５５）
上記支持表面の反対側の上記支持体の表面上の上壁をさらに含み、該上壁を覆って配置されるキャップをさらに含む、項目５０に記載の組み合わせ。
（項目５６）
上記キャップは、上記上壁を覆い、かつ、その周囲に嵌合する、項目５５に記載の組み合わせ。
（項目５７）
締結具の受容具であって、
支持構造物上に支持されるための第１の表面と縁によって締結具要素を支持するための第２の表面とを有し、該縁は該第１の表面から第２の表面まで延在する、基部と、
締結具要素を支持するための該基部上の構造物であって、該構造物は、該基部と平行な水平面以外の平面の周囲で少なくとも部分的に非対称である、構造物と
を含む、受容具。
（項目５８）
上記構造物は、上記締結具の受容具を通る垂直横断面の周囲で実質的に非対称である、項目５７に記載の締結具の受容具。
（項目５９）
支持構造物に上記基部を固定するための手段をさらに含む、項目５７に記載の締結具の受容具。
（項目６０）
上記基部は、実質的に平面である、項目５７に記載の締結具の受容具。
（項目６１）
上記基部は、第１の平面と第２の平面とを有し、該第２の平面上に支持される締結具要素をさらに含む、項目５７に記載の締結具の受容具。
（項目６２）
上記締結具要素は、実質的に平坦な基部表面と、該基部表面内の複数のタブとを有する、ナットである、項目６１に記載の締結具の受容具。
（項目６３）
上記ナットのタブを受容するための少なくとも１つの開口部を画定する、壁をさらに含む、項目６２に記載の締結具の受容具。
（項目６４）
上記締結具の受容具は、高さを有し、上記基部は、該高さの３分の１にほぼ等しい厚さを有する、項目５７に記載の締結具の受容具。
（項目６５）
締結具要素を受容するための空洞を画定する壁をさらに含み、該空洞は、高さを有し、上記基部は、該空洞の高さと実質的に同じ高さを有する、項目５７に記載の締結具の受容具。
（項目６６）
上記空洞は、ほぼ上記締結具の受容具の幅以上の幅を有する、項目６５に記載の締結具の受容具。
（項目６７）
上記受容具は、非金属である、項目５７に記載の締結具の受容具。
（項目６８）
上記受容具は、ポリアミドである、項目６７に記載の締結具の受容具。
（項目６９）
締結具と受容具との組み合わせであって、
締結具基部を有する締結具要素であって、該締結具基部は、支持表面と基部の厚さを画定する基部上面との間に延在し、該締結具要素は、該基部から離る方向に延在する締結具本体を含む、締結具要素と、
非金属支持材と締結具保持器との組み合わせであって、該締結具要素は、該締結具保持器の中に受容され、該支持材は、該基部の厚さとほぼ同じ厚さであり、該締結具保持器は、該支持材の厚さの約２倍である、該支持材より上側の高さを有する、組み合わせと
を備える、組み合わせ。
（項目７０）
上記支持材と締結具保持器との組み合わせは、各端面へと縦方向に延在し、該締結具保持器は、上記締結具基部の各側面に隣接する側壁を含み、該締結具保持器は、該各側壁から該支持材と締結具保持器との組み合わせの該各端面まで縦方向に延在する、項目６９に記載の組み合わせ。
（項目７１）
上記各端面における上記締結具保持器の上記部分は、上記基部の厚さとほぼ同じである、上記支持材より上側の各高さを有する、項目７０に記載の組み合わせ。
（項目７２）
上記非金属支持材と締結具保持器との組み合わせは、成型プラスチックである、項目６９に記載の組み合わせ。
（項目７３）
上記締結具保持器は、各開口部を画定する複数の壁を含み、上記締結具要素は、該締結具保持器の各開口部の中へ延在する複数のタブを含む、項目７２に記載の組み合わせ。
（項目７４）
上記非金属支持材は、支持構造物に対して配置されるように構成される支持表面を含み、該支持表面は、実質的に円形および実質的に長方形のうちの少なくとも１つである、項目６９に記載の組み合わせ。
（項目７５）
支持構造物に対して一体的な非金属支持材と締結具保持器とを配置することであって、該非金属支持材は、締結具支持表面を有し、該締結具保持器は、該非金属支持材荷担面から離れる方向に、かつ該締結具支持表面から離れる方向に延在する、少なくとも３つのトルク抵抗要素と、該締結具保持器内の第１の締結具要素とを含み、該締結具が該締結具保持器に対して枢動するときに、該締結具保持器内の該トルク抵抗要素のそれぞれと接触するための少なくとも３つの表面を有する、ことと、
結合および構造的固定のうちの少なくとも１つによって、該支持構造物に該非金属支持材および締結具保持器を固定することと、
第２の締結具要素を該第１の締結具要素と係合することと
を含む、締結具を固定する方法。
（項目７６）
固定することは、接着剤を使用して固定することを含む、項目７５に記載の方法。
（項目７７）
固定することは、可撤性の締結具を使用して固定することを含む、項目７５に記載の方法。
（項目７８）
固定することは、恒久的な締結具を使用して固定することを含む、項目７５に記載の方法。
（項目７９）
ナット要素および複数の係合表面を支持するための非金属ナット支持材と、
ネジ付き軸方向延在部分と基礎部分とを有する、ナット要素であって、該基礎部分は、該ナット支持材上の該係合表面のうちの１つ以上に係合するために構成される、複数の延長部を有し、該ナット支持材上の該係合表面および該ナット要素は、該ナット要素の枢動時に、該延長部が該ナット支持材上の該係合表面のそれぞれの上の少なくとも４つの係合位置と係合するように構成される、ナット要素と
を備える、ナットアセンブリ。
（項目８０）
ナット要素と非金属クリップとを相互に隣接して配置することと、
該クリップの残りの部分から離れる方向にカンチレバー部分を移動させるために、該ナット要素を該クリップと接触させ、かつ、該カンチレバー部分に対して接触させることと、
該ナット要素がナット保持器の中に受容されるまで、該ナット要素を該クリップ中の保持器の中に押し込み、該カンチレバー部分が少なくとも部分的にそれの自由状態構成に戻ることを可能にすることと
を含む、ナットアセンブリを組み立てる方法。